(57)【要約】【課題】解像度の高いコピー機で複写しても隠し文字が鮮明に現れるようにする。【解決手段】偽造防止帳票１０として、用紙１１上には、目視可能で複写不能な背景部１３と、背景部１３の上に積層された目視と複写がともに可能な隠し文字部１４と、からなる真偽判別欄１２を備えるものとする。また、隠し文字部１４は、格子形状に形成された格子状細線１４−１の上に、円環形状に形成された白抜き網点１４−２を複数個点在させることで構成する。【選択図】  図１
2004262167.tif 000002
【特許請求の範囲】
【請求項１】
用紙上に設けられる隠し文字部と、隠し文字部を判読不能とする網点または細線で形成される背景部と、からなる真偽判別欄を備え、
上記隠し文字部は、
格子形状に形成された細線からなる格子状細線と、
上記格子状細線に重なるように複数個点在する円環形状に形成された白抜き網点と、から構成され、
上記格子状細線と白抜き網点とが異なるスクリーン線数で印刷されている
ことを特徴とする偽造防止帳票。
【請求項２】
用紙上に設けられる隠し文字部と、隠し文字部を判読不能とする網点または細線で形成される背景部と、からなる真偽判別欄を備え、
上記隠し文字部は、
十字形状に形成された細線の集合体からなる十字状細線と、
上記十字状細線に重なるように複数個点在する円環形状に形成された白抜き網点と、から構成され、
上記十字状細線と白抜き網点とが異なるスクリーン線数で印刷されている
ことを特徴とする偽造防止帳票。
【請求項３】
上記隠し文字部において、複数個点在する白抜き網点のうちの一部が格子状細線または十字状細線の交点上に配置されていることを特徴とする請求項１または請求項２に記載の偽造防止帳票。
【請求項４】
上記隠し文字部において、格子状細線または十字状細線が点線や鎖線で形成されていることを特徴とする請求項１乃至請求項３のいずれかに記載の偽造防止帳票。
【請求項５】
上記隠し文字部において、格子状細線または十字状細線と白抜き網点とのいずれか一方あるいは双方は、異なる色で印刷するかまたは異なる面積比率の同色で印刷することで任意の箇所において印刷濃度の濃淡差が設けられていることを特徴とする請求項１乃至請求項４のいずれかに記載の偽造防止帳票。
【発明の詳細な説明】
【０００１】
【発明の属する技術分野】
本発明は、複写による複製物の判定が容易な偽造防止帳票に関する。
【０００２】
【従来の技術】
商品券や身分証明書等の帳票において、本物と複写による偽物とを区別するための偽造防止技術としては、網点印刷や細線印刷が知られている（例えば、特許文献１参照）。
【０００３】
【特許文献１】
特開２００１−３２２３４５号公報
【０００４】
前者の網点印刷は、大きさの異なる網点とコピー機の解像度の限界値を利用した印刷技術である。例えば、図９に示すように、用紙１上に複写可能な大きな網点で「Ａ」等の隠し文字２が印刷され、この隠し文字２が判読できないように複写不能な小さな網点で背景３が印刷される。具体的には、隠し文字２を構成する網点は、スクリーン線数が４０〜６５線／インチで面積比率が５〜４０％の範囲内に設定され、背景３を構成する網点は、スクリーン線数が１２０〜１５０線／インチで面積比率が５〜４０％の範囲内に設定される。
【０００５】
一方、後者の細線印刷は、線幅の異なる細線とコピー機の解像度の限界値を利用した印刷技術である。例えば、図１０に示すように、用紙１上に複写可能な太い線幅の細線で「Ａ」等の隠し文字２が印刷され、この隠し文字２が判読できないように複写不能な細い線幅の細線で背景３が印刷される。
【０００６】
このような網点印刷や細線印刷によれば、目視しただけでは「Ａ」等の隠し文字２は背景３に埋没して判読できないが、コピー機で複写すると背景３は再現されずに隠し文字２のみが判読可能に再現されることで、本物と複写による偽物とを区別できるように考えられている。
【０００７】
ところが、従来方式の網点印刷や細線印刷は、いずれもコピー機が持つ解像度の限界値を利用したものであり、近年急速に進歩した複写技術に対して充分な効果が得られないことがある。
【０００８】
すなわち、高解像度のカラーコピー機や、各種の画像処理ソフトを利用して複製すれば、隠し文字２を構成する網点や細線だけではなく背景３を構成する網点や細線までもが目視した通りに忠実に再現できてしまう。すると、このような複製物においても隠し文字２が背景３に埋没して鮮明に判読することができず、本物と偽物との区別が付きにくいという問題点がある。
【０００９】
【発明が解決しようとする課題】
本発明は、上記問題点に鑑みてなされたもので、その目的とするところは、特に高解像度のコピー機で複写した場合でも、隠し文字が鮮明に現れて複製物の判定が容易となる偽造防止帳票を提供することにある。
【００１０】
【課題を解決するための手段】
上記目的を達成するために、本発明に係る偽造防止帳票は、用紙上に設けられる隠し文字部と、隠し文字部を判読不能とする網点または細線で形成される背景部と、からなる真偽判別欄を備え、隠し文字部は、格子形状に形成された細線からなる格子状細線と、格子状細線に重なるように複数個点在する円環形状に形成された白抜き網点と、から構成され、格子状細線と白抜き網点とが異なるスクリーン線数で印刷されていることを特徴とする。
【００１１】
また、本発明は、用紙上に設けられる隠し文字部と、隠し文字部を判読不能とする網点または細線で形成される背景部と、からなる真偽判別欄を備え、隠し文字部は、十字形状に形成された細線の集合体からなる十字状細線と、十字状細線に重なるように複数個点在する円環形状に形成された白抜き網点と、から構成され、十字状細線と白抜き網点とが異なるスクリーン線数で印刷されていることを特徴とする。
【００１２】
このような構成によると、複写前の真偽判別欄は、印刷濃度の高い部分と低い部分とが混在し、かつ背景部を構成する網点や細線が点在した状態となっているため、隠し文字部の判読が困難となり複製の抑止効果が高まる。
【００１３】
また、複写後の隠し文字部は、インキの線幅が正確な太さで再現される箇所と、インキの線幅が実際よりも太くかつ濃度も高く再現される箇所とに分かれ、太く濃く再現された箇所が斑目状態に点在することで、単に網点のみで構成した場合に比べて隠し文字部がより鮮明に現れるため、真偽判定に迷うことなく確実に複製物を発見できる。
【００１４】
なお、隠し文字部においては、以下のような構成を採用することもできる。
（イ）複数個点在する白抜き網点のうちの一部を格子状細線または十字状細線の交点上に配置する構成
（ロ）格子状細線または十字状細線を点線や鎖線で形成する構成
（ハ）格子状細線または十字状細線と白抜き網点とのいずれか一方あるいは双方を、異なる色で印刷するかまたは異なる面積比率の同色で印刷することで任意の箇所において印刷濃度の濃淡差を設ける構成
上記（イ）（ロ）（ハ）のような構成によると、目視による隠し文字部の判読をより一層困難とし、かつコピー機で複写したときに隠し文字部が強調されて複写されるようになるため、偽造防止帳票が向上する。
【００１５】
【発明の実施の形態】
始めに、本発明の構成について、図１〜図６を参照しながら説明する。図１は本発明に係る偽造防止帳票の構成例を示した平面図、図２は図１の（イ）部分を拡大して示した平面図、図３〜図６は本発明に係る偽造防止帳票の他の構成例を示した平面図である。
【００１６】
図１に示す偽造防止帳票１０は、所要形状に成形された用紙１１上に真偽判別欄１２を備えており、複写後の真偽判別欄１２の状態を目視することで本物であるか偽物であるかの区別ができるようになっている。真偽判別欄１２は、用紙１１上に印刷された隠し文字部１４と、隠し文字部１４を判読不能とするための背景部１３とから構成されている。
【００１７】
背景部１３は、通常の印刷インキを用いて、コピー機で複写不能な大きさの網点１３−１，…を多数点在させることで目視可能に形成されている。背景部１３を構成する網点のスクリーン線数や面積比率は、従来の網点印刷における背景の網点と同程度のもので良い。本実施形態では、スクリーン線数が１２０〜１５０数／インチでかつ面積比率が５〜３０％の範囲内に設定されている。
【００１８】
一方、隠し文字部１４は、従来の網点印刷や細線印刷における隠し文字の構成とは全く異なる構成を採用している。
【００１９】
すなわち、図２に詳細に示すように、隠し文字部１４は、背景部１３を印刷したインキと同色のインキで印刷され、格子形状に形成した細線からなる格子状細線１４−１，…と、円環形状に形成した網点からなる白抜き網点１４−２，…との組み合わせによって構成されている。
【００２０】
また、本実施形態では、隠し文字部１４が全体として「Ｃ」の文字となるように形成されている。なお、図面では説明の便宜上「Ｃ」の文字が判読できるように図示されているが、実際には、この「Ｃ」の文字は、目視しただけでは背景部１３を構成する網点１３−１，…の中に埋没して判読できないものである。
【００２１】
さらに詳説すると、格子状細線１４−１は、所定間隔毎に配置された複数本の縦線１４−１ａ，…と、複数本の横線１４−１ｂ，…とが互いに直交することにより格子形状に形成されている。
【００２２】
ここで、細線の構成としては、図３〜図５に示すような各種のバリエーションが考えられる。例えば、図３に示すように、格子状細線１４−１に替えて十字形状に形成した細線の集合体からなる十字状細線１４−３とする構成や、図４に示すように、格子状細線１４−１を実線ではなく点線や鎖線で形成した格子状細線１４−４とする構成や、図５に示すように、格子状細線１４−１や十字状細線１４−３の任意の箇所において印刷濃度の濃淡差を設ける構成を採用することができる。なお、図５のように濃淡差を設ける方法としては、印刷場所によって色調または濃度を異ならせることで異なる色となるように印刷する方法や、色は変えずに面積比率を変えて異なる面積となるように印刷する方法が考えられる。
【００２３】
図３〜図５に例示した構成は、いずれも目視による隠し文字部１４の判読をより一層困難とし、かつコピー機で複写したときに隠し文字部１４が強調されて複写されるようにするために有効な構成である。
【００２４】
一方、白抜き網点１４−２は、通常の網点の内部が白抜きされた円環形状に形成され、格子状細線１４−１に重なるように複数個散りばめられている。複数個の白抜き網点１４−２，…の配列については、少なくとも格子状細線１４−１を印刷するスクリーン線数とは異なるスクリーン線数に設定して印刷する必要がある。これは、格子状細線１４−１と白抜き網点１４−２の両者を同一のスクリーン線数で印刷すると、全ての白抜き網点１４−２が格子状細線１４−１の一定の位置にしか配置されなくなり、複数個の白抜き網点１４−２を格子状細線１４−１のランダムな位置に配置することができなくなるためである。
【００２５】
また、複数個の白抜き網点１４−２，…のうちの一部は、縦線１４−１ａと横線１４−１ｂとが交差した交点Ｐ上に配置されていることが望ましい。その理由は、コピー機での複写時に、尾引きやインキ潰れによる複写太りを積極的に発生させるためである。
【００２６】
さらに、白抜き網点１４−２の構成においても格子状細線１４−１の場合と同様の理由から、図５に示すように、異なる色で印刷する方法や異なる面積比率で印刷する方法を採用することによって、任意の箇所において印刷濃度の濃淡差を設けることが望ましい。
【００２７】
なお、本実施形態では、背景部１３は網点１３−１を多数点在させて構成しているが、図６に示すように複写不能な線幅の細線１３−２を用いて構成することも可能であり、また、網点１３−１と細線１３−２との組み合わせで構成しても差し支えない。さらに、この背景部１３を利用して地紋やカムフラージュパターン等を形成すれば、隠し文字部１４の判読が困難になるので偽造防止効果が高まる。
【００２８】
次に、本発明の作用について、図７と図８を参照しながら説明する。図７は本発明に係る偽造防止帳票の複写後の状態を示した平面図、図８は図７の（ロ）部分を拡大して示した平面図である。
【００２９】
偽造防止帳票１０は、真偽判別欄１２を構成する背景部１３と隠し文字部１４とがともに目視可能な状態であるので、見た目には「Ｃ」という隠し文字部１４が背景部１３の網点１３−１に埋没して判読できないようになっている。そして、偽造防止帳票１０をコピー機で複写すると、図７に示すように、背景部１３の網点１３−１は再現されずに隠し文字部１４のみが再現され、「Ｃ」の文字を判読することが可能となる。このように、隠し文字部１４が判読可能に再現された状態の帳票は偽物であり、隠し文字部１４が判読不能な状態にあるものは本物であるという真偽の判別を行なうことができる。
【００３０】
ところで、隠し文字部１４の複写前の状態を拡大して見てみると、図２に示す（ａ）のように、格子状細線１４−１や白抜き網点１４−２が印刷されていない部分は、用紙１１上に背景部１３のインキのみしか塗布されていないので、印刷濃度は低くなっている。
【００３１】
また、図２に示す（ｂ）のように、格子状細線１４−１や白抜き網点１４−２が印刷されている部分では、背景部１３のインキの上に格子状細線１４−１のインキや白抜き網点１４−２のインキが重ねて塗布されることで、上述した（ａ）の部分と比較すると印刷濃度が高くなる。
【００３２】
さらに、図２に示す（ｃ）のように、特に格子状細線１４−１同士が重なった部分や、格子状細線１４−１と白抜き網点１４−２とが重なった部分は、背景部１３のインキの上に格子状細線１４−１や白抜き網点１４−２のインキが二重に重なって塗布されており、上述した（ａ）や（ｂ）の部分と比較すると、より一層印刷濃度が高くなっていることが分かる。
【００３３】
このように、複写前の真偽判別欄１２は、（ａ）のように印刷濃度の低い部分と（ｂ）や（ｃ）のように印刷濃度の高い部分とが混在し、ここに背景部１３を構成する網点１３−１が点在した状態である。よって、隠し文字部１４と背景部１３との境界が目立ちにくく、単に網点だけで構成した場合に比べて隠し文字部１４の判読が一層困難になり、複製の抑止効果が高まるという利点がある。
【００３４】
一方、隠し文字部１４の複写後の状態を拡大して見てみると、図８に示す（Ａ）のように、格子状細線１４−１と白抜き網点１４−２とが全く重ならない部分は、インキの線幅が比較的正確な太さで再現される。
【００３５】
ところが、図８に示す（Ｂ）のように、格子状細線１４−１と白抜き網点１４−２とが接する部分は、コピー機の尾引きによって格子状細線１４−１のインキが周囲へと引きずられ、これが白抜き網点１４−２のインキに接触することでインキの線幅が太くかつ濃度も高く複写される。
【００３６】
また、図８に示す（Ｃ）のように、縦線１４−１ａと横線１４−１ｂとの交点Ｐの上に白抜き網点１４−２が重なっている部分は、そのインキの線幅を正確に再現することができず、白抜き網点１４−２の白抜き部分が塗り潰されてインキの線幅が太くかつ濃度も高く複写される。
【００３７】
このように、複写後の隠し文字部１４は、（Ａ）のようにインキの線幅が正確な太さで再現される箇所と、（Ｂ）や（Ｃ）のようにインキの線幅が実際よりも太く濃度が高く再現される箇所とが混在した状態となる。よって、仮に高解像度のコピー機によって背景部１３の網点１３−１や細線１３−２までもが複写されたとしても、複写後の隠し文字部１４は、太く濃く再現された箇所が斑目状態に点在して再現される。このような線幅と印刷濃度の差によって、隠し文字部を単に網点で構成した場合に比べて隠し文字部がより鮮明に現れて視認性が良好なため、真偽判定に迷うことなく確実に複製物を発見できる。
【００３８】
【発明の効果】
以上詳細に説明したように、本発明に係る偽造防止帳票によれば、以下のような効果を奏する。
【００３９】
（１）複写前の真偽判別欄は、印刷濃度の高い部分と低い部分とが混在し、そこに背景部を構成する網点や細線が点在した状態であり、かつ背景部の網点や細線は極度に粗いスクリーン線数や面積比率に下げる必要もない。このため、隠し文字部と背景部との境目が目立ちにくく、複写前の隠し文字部の判読が一層困難となり複製の抑止効果が向上する。
【００４０】
（２）複写後の隠し文字部は、インキの線幅が正確な太さで再現される箇所と、インキの線幅が実際よりも太く濃度が高く再現される箇所とが混在した状態となり、太く濃く再現された箇所が斑目状態に点在する。よって、隠し文字部を単に網点で構成した場合に比べて隠し文字部がより鮮明に現れて視認性が良好なため、真偽判定に迷うことなく確実に複製物を発見でき、高解像度のコピー機に対しても偽造防止効果を発揮する。
【図面の簡単な説明】
【図１】本発明に係る偽造防止帳票の構成例を示した平面図。
【図２】図１の（イ）部分を拡大して示した平面図。
【図３】本発明に係る偽造防止帳票の他の構成例を示した平面図。
【図４】本発明に係る偽造防止帳票の他の構成例を示した平面図。
【図５】本発明に係る偽造防止帳票の他の構成例を示した平面図。
【図６】本発明に係る偽造防止帳票の他の構成例を示した平面図。
【図７】本発明に係る偽造防止帳票の複写後の状態を示した平面図。
【図８】図７の（ロ）部分を拡大して示した平面図。
【図９】従来の網点印刷の構成例を示した平面図。
【図１０】従来の細線印刷の構成例を示した平面図。
【符号の説明】
１０  偽造防止帳票
１１  用紙
１２  真偽判別欄
１３  背景部
１３−１  網点
１３−２  細線
１４  隠し文字部
１４−１  格子状細線
１４−１ａ  縦線
１４−１ｂ  横線
１４−２  白抜き網点
１４−３  十字状細線
１４−４  格子状細線（点線）
Ｐ  交点
【図１】
2004262167.tif 000003
【図２】
2004262167.tif 000004
【図３】
2004262167.tif 000005
【図４】
2004262167.tif 000006
【図５】
2004262167.tif 000007
【図６】
2004262167.tif 000008
【図７】
2004262167.tif 000009
【図８】
2004262167.tif 000010
【図９】
2004262167.tif 000011
【図１０】
2004262167.tif 000012